(57)【要約】【課題】節水を実現しながら、すすぎ性能、洗浄性能を確保できる洗濯機を提供すること。【解決手段】注水装置３２の第２注水孔３４Ａに加えて、複数個の第１注水孔３４Ｂは、第１注水孔３４Ｂを構成する流水路３４Ｃの外側壁面３４Ｄを、中央の第１注水孔３４Ｂから両外側の第１注水孔３４Ｂに向けて徐々に外側に広げるように形成すると共に、流水路３４Ｃの内側壁面３４Ｅを、中央の第１注水孔３４Ｂから両外側の第１注水孔３４Ｂに向けて徐々に短くするように形成し、第１注水孔３４Ｂから洗濯兼脱水槽１５内に扇形状に注水されるようにしたことにより、洗い行程、すすぎ行程において、衣類を投入した洗濯兼脱水槽１５を低速回転させながら、洗濯兼脱水槽１５の外周付近と、洗濯兼脱水槽１５の中央付近に満遍なく注水することができるので、節水を実現しながら、すすぎ性能、洗浄性能を確保することができる。【選択図】図２
2015195948.tif 000002
【特許請求の範囲】
【請求項１】
本体内部に防振支持される水槽と、前記水槽内に回転自在に支持される洗濯兼脱水槽と、前記洗濯兼脱水槽内に注水する注水装置と、を備え、
前記注水装置は、給水弁と連通する注水部を有する注水ケースと、前記注水ケースに引き出し可能に収納された洗剤投入部を有する洗剤ケースと、前記注水部に複数個設けられ、前記洗濯兼脱水槽の中心方向に向けて注水する第１注水孔と、前記注水部に設けられ、前記洗剤投入部および前記注水ケースの下部を介して前記洗濯兼脱水槽の外周壁方向に向けて注水する第２注水孔と、を有し、
前記第１注水孔は、前記第１注水孔の流水路の外側壁面を、中央の前記第１注水孔から両外側の前記第１注水孔に向けて漸次外側に広げるように構成すると共に、前記流水路の内側壁面を、中央の前記第１注水孔から両外側の前記第１注水孔に向けて漸次短くするように形成し、前記第１注水孔から前記洗濯兼脱水槽内に扇形状に注水されるようにした洗濯機。
【請求項２】
第１注水孔は、前記第１注水孔を構成する流水路の下側壁面を前下方向に傾斜させ、上側壁面を略水平で下側壁面より短く形成した請求項１に記載の洗濯機。
【請求項３】
洗濯兼脱水槽を回転させながら、給水弁のＯＮ−ＯＦＦ動作を繰返し行なうようにした請求項１または２に記載の洗濯機。
【発明の詳細な説明】
【技術分野】
【０００１】
本発明は、洗い工程、すすぎ工程、脱水行程を行なう洗濯機に関するものである。
【背景技術】
【０００２】
従来、この種の洗濯機は、洗濯物を収容する洗濯兼脱水槽を上方から臨む位置に、洗剤を収容する洗剤ケースを有し、運転開始の給水時に、投入された洗剤を水とともに洗濯兼脱水槽内へ供給する構成が提案されている（例えば、特許文献１参照）。
【０００３】
図６は、特許文献１に記載された従来の洗濯機の縦断面図、図７は、同洗濯機の要部縦断面図である。
【０００４】
図６、図７において、洗濯機の本体１１は、サスペンション１２により水槽１３をその内部に懸垂防振支持している。洗濯・脱水軸１４は中空で２軸構造に形成している。水槽１３に回転自在に内包された洗濯兼脱水槽（洗濯槽）１５は、側壁に多数の脱水孔１６を有するとともに、内周の上部に脱水振動を低減するための流体バランサ１７を有し、中央底部には衣類攪拌用のパルセータ１８が配設されている。伝達機構部１９は、内部に洗濯時の減速ギア（図示せず）および洗濯・脱水軸１４の切り換えクラッチ（図示せず）と、脱水時に洗濯兼脱水槽１５を停止するためのブレーキ（図示せず）を内蔵している。
【０００５】
モータ２０は、水槽１３の底部に取り付けられ、駆動プーリ２１、ベルト２３、および従動プーリ２２を介してモータ２０の動力を洗濯・脱水軸１４に伝達する。
【０００６】
本体１１の上部には、上部枠体６４を配し、上部枠体６４の略中央部には、洗濯兼脱水槽１５と外部とを連通するための洗濯物投入取出口６５を形成し、洗濯物投入取出口６５は、蓋体６６にて開閉自在に覆われている。
【０００７】
洗濯物投入取出口６５周縁の後部には、洗剤ケース６９を前方へ引き出し可能に収納するとともに、給水弁６８にホース７０を介して連通する注水ケース７１を設けており、洗剤ケース６９、吸水弁６８及び注水ケース７１から洗剤注水装置７２を構成している。
【０００８】
図７に示すように、洗剤ケース６９は、洗剤投入部７７の底面７７Ｄを略一定の傾きで後下方向に傾斜させており、後部には、低いリブ状の後面壁７７Ａが形成し、洗剤が後面壁７７Ａの上端部から流れ出るよう構成されている。また、注水ケース７１に縦方向に形成されたリブ８０と隙間をもって嵌合するスリット状の孔７８が形成されている。
【０００９】
注水ケース７１には、洗剤ケース６９の上方に複数の注水孔７４を有する注水部７３が設けられ、洗剤ケース６９の下方には、後方から前方にかけて下方傾斜した流水面７５を設け、前方に注水口７６が設けられている。
【００１０】
注水部７３には、注水部経路７３Ｃを連通して水が供給され、この給水された水は、複数の注水孔７４より洗剤ケース６９の洗剤投入部７７上に散水され、散水された水は、底面７７Ｄ上を後方に流れ、スリット状の孔７８および後面壁７７Ａ上端部から注水ケース５の流水面７５上に落下し、流水面７５上を前方に流れ、注水口７６より洗濯兼脱水槽１５に注水される。運転行程において、洗い行程の始めには、洗剤ケース６９に投入された洗剤が水と共に、すすぎ行程には、すすぎのための水が、図６の矢印Ｘのように洗濯兼脱水槽１５に供給される。
【先行技術文献】
【特許文献】
【００１１】
【特許文献１】特開２００７−２７５３２７号公報
【発明の概要】
【発明が解決しようとする課題】
【００１２】
しかしながら、前記従来の構成では、注水口より洗濯兼脱水槽に注水される水は、１箇所から一つの水流として供給される。このため、すすぎ行程において、衣類を投入した洗濯兼脱水槽を低速回転させながら衣類に向けて注水するという節水方式であるシャワーすすぎにした際、洗濯容量が少ない場合は、すすぎ行程の最初の脱水で衣類が洗濯兼脱水槽の壁面に張付いた状態となり、注水される水が衣類に当らず、すすぎの効果が十分に得られないという課題があった。
【００１３】
また、洗濯容量が多い場合は、洗い行程において、洗濯兼脱水槽の中心高さ部近傍にある衣類に、注水される水が十分当らず、攪拌行程にて衣類が浮いた状態でパルセータが動作することになり、衣類に攪拌効果が十分に伝わらず洗浄効果が得られないという課題があった。
【００１４】
本発明は、前記従来の課題を解決するもので、節水を実現しながら、すすぎ性能、洗浄性能を確保できる洗濯機を提供することを目的とする。
【課題を解決するための手段】
【００１５】
前記従来の課題を解決するために、本発明の洗濯機は、本体内部に防振支持される水槽と、前記水槽内に回転自在に支持される洗濯兼脱水槽と、前記洗濯兼脱水槽内に注水する注水装置と、を備え、前記注水装置は、給水弁と連通する注水部を有する注水ケースと、前記注水ケースに引き出し可能に収納された洗剤投入部を有する洗剤ケースと、前記注水部に複数個設けられ、前記洗濯兼脱水槽の中心方向に向けて注水する第１注水孔と、前記注水部に設けられ、前記洗剤投入部および前記注水ケースの下部を介して前記洗濯兼脱水槽の外周壁方向に向けて注水する第２注水孔と、を有し、前記第１注水孔は、前記第１注水孔の流水路の外側壁面を、中央の前記第１注水孔から両外側の前記第１注水孔に向けて漸次外側に広げるように構成すると共に、前記流水路の内側壁面を、中央の前記第１注水孔から両外側の前記第１注水孔に向けて漸次短くするように形成し、前記第１注水孔から前記洗濯兼脱水槽内に扇形状に注水されるようにしたものである。
【発明の効果】
【００１６】
本発明の洗濯機は、注水装置の注水部注水孔形状により、節水を実現しながら、すすぎ性能、洗浄性能を確保することができる。
【図面の簡単な説明】
【００１７】
【図１】本発明の実施の形態における洗濯機の縦断面図
【図２】同洗濯機の要部縦断面図
【図３】同洗濯機の要部分解斜視図
【図４】（ａ）同洗濯機の要部拡大横断面図、（ｂ）同洗濯機の要部拡大縦断面図
【図５】同洗濯機の制御を示すタイムチャート
【図６】従来の洗濯機の縦断面図
【図７】同洗濯機の要部縦断面図
【発明を実施するための形態】
【００１８】
第１の発明は、本体内部に防振支持される水槽と、前記水槽内に回転自在に支持される洗濯兼脱水槽と、前記洗濯兼脱水槽内に注水する注水装置と、を備え、前記注水装置は、
給水弁と連通する注水部を有する注水ケースと、前記注水ケースに引き出し可能に収納された洗剤投入部を有する洗剤ケースと、前記注水部に複数個設けられ、前記洗濯兼脱水槽の中心方向に向けて注水する第１注水孔と、前記注水部に設けられ、前記洗剤投入部および前記注水ケースの下部を介して前記洗濯兼脱水槽の外周壁方向に向けて注水する第２注水孔と、を有し、前記第１注水孔は、前記第１注水孔の流水路の外側壁面を、中央の前記第１注水孔から両外側の前記第１注水孔に向けて漸次外側に広げるように構成すると共に、前記流水路の内側壁面を、中央の前記第１注水孔から両外側の前記第１注水孔に向けて漸次短くするように形成し、前記第１注水孔から前記洗濯兼脱水槽内に扇形状に注水されるものである。
【００１９】
これによって、洗い行程、すすぎ行程において、衣類を投入した洗濯兼脱水槽を低速回転させながら、洗濯兼脱水槽の外周付近と、洗濯兼脱水槽の中央付近に満遍なく注水することができるので、節水を実現しながら、洗浄性能とすすぎ性能を確保することができる。
【００２０】
第２の発明は、特に、第１の発明において、第１注水孔は、前記第１注水孔を構成する流水路の下側壁面を前下方向に傾斜させ、上側壁面を略水平で下側壁面より短く形成するものである。
【００２１】
これにより、洗い行程、すすぎ行程において、衣類を投入した洗濯兼脱水槽を低速回転させながら、洗濯兼脱水槽の中央付近に満遍なく注水することができるので、節水を実現しながら、すすぎ性能、洗浄性能を確保することができる。
【００２２】
第３の発明は、第１または第２の発明において、洗濯兼脱水槽を回転させながら、給水弁のＯＮ−ＯＦＦ動作を繰返し行なうようものである。
【００２３】
これにより、洗い行程、すすぎ行程において、衣類を投入した洗濯兼脱水槽を低速回転させながら、洗濯兼脱水槽の外周付近と、洗濯兼脱水槽の中央付近に満遍なく注水することができるので、節水を実現しながら、すすぎ性能、洗浄性能を確保することができる。
【００２４】
以下、発明の実施の形態について、図面を参照しながら説明する。なお、従来例と同じ構成のものは同一符号を付して説明を省略する。また、この実施の形態によって本発明が限定されるものではない。
【００２５】
（実施の形態１）
図１は、本発明の実施の形態における洗濯機の縦断面図である。
【００２６】
図１において、本体１１の上部には、上部枠体２４を配設し、上部枠体２４の略中央部には、洗濯兼脱水槽１５と外部とを連通するための洗濯物投入取出口２５を形成し、洗濯物投入取出口２５は、蓋体２６にて開閉自在に覆われている。
【００２７】
上部枠体２４の前方側上部には、操作表示部４２が設けられ、運転コース等のモード、各種機能の設定を行い、設定や進行などを表示する。操作表示部４２の内方には、モータ２０などの動作を制御し、洗い、すすぎ、脱水の一連の行程を逐次制御する制御手段（図示せず）を有する制御装置２７を設けている。
【００２８】
洗濯物投入取出口２５周縁の後部には、洗剤ケース２９を前方へ引き出し可能に収納する注水ケース３１を設けており、注水ケース３１は、パッキン３０（図３参照）を介して給水弁２８に連通している。洗剤ケース２９、給水弁２８及び注水ケース３１から注水装置３２を構成している。
【００２９】
図２は、本発明の実施の形態における洗濯機の注水装置周りの要部縦断面図、図３は、同注水装置周りの要部分解斜視図、図４（ａ）は、同注水装置周りの要部拡大横断面図、図４（ｂ）は、同注水装置周りの要部拡大縦断面図である。
【００３０】
図２、図３において、注水装置３２の注水ケース３１は、上部に注水部３３を設け、この注水部３３は、下部を構成する下部注水部３３ａと上方を覆う上部注水部３３Ｂと前面壁３３ｄからなり、下部注水部３３ａと上部注水部３３ｂとを溶着固定することで、給水弁２８と連通する注水部経路３３ｃを形成している。
【００３１】
注水部経路３３ｃの底面壁３３ｅには、１個または複数個の第２注水孔３４ａを設けるとともに、前面壁３３ｄに複数個の第１注水孔３４ｂを設けている。洗剤ケース２９を注水ケース３１に収納した状態での洗剤ケース２９の下方側の注水ケース３１下部には、後方から前方にかけて下方傾斜した流水面３５を設け、前方に注水口３６を設けている。
【００３２】
洗剤ケース２９は、粉末洗剤を投入するための粉末洗剤投入部（洗剤投入部）３７と洗剤ケースを操作する為の取っ手部４１とから構成されている。
【００３３】
粉末洗剤投入部３７は、箱状に形成され、後面壁３７ａの下部に開口３７ｂが形成されている。これにより、粉末洗剤投入部３７に注水された水は、開口３７ｂから注水ケース３１の流水面３５上に流れ落ちるようにしている。また、粉末洗剤投入部３７の底面３７ｄは、略一定の傾きで後下方向に傾斜している。
【００３４】
取っ手部４１は、手挿入部４１ａと下部に下方を外方向に湾曲させた注水壁面４１ｂを形成しており、注水ケース３１の流水面３５から流れてきた水が注水壁面４１ｂに当るように構成し、注水口３６を形成している。
【００３５】
図４（ａ）、（ｂ）において、注水部経路３３ｃの前面壁３３ｄの第１注水孔３４ｂの流水路３４ｃは、外側壁面３４ｄを中央の孔から両外側の孔に向けて徐々に外側に広げるように形成（角度α１＜α２＜・・・＜αＮ、図４（ａ）ではα４まで表示）すると共に、流水路３４ｃの内側壁面３４ｅを中央の孔から両外側の孔に向けて徐々に短くするように形成（長さＬ１＞Ｌ２＞・・・＞ＬＮ、図４（ａ）ではＬ４まで表示）している。
【００３６】
また、図４（ｂ）に示すように、注水部経路３３ｃの前面壁３３ｄの第１注水孔３４ｂの流水路３４ｃは、下側壁面３４ｆを前下方向に傾斜させ、上側壁面３４ｇは下側壁面３４ｆより短く形成している。
【００３７】
以上のように構成した洗濯機について、以下、その動作、作用を説明する。
【００３８】
運転時には、まず使用者は、蓋体２６を開け、洗濯兼脱水槽１５に衣類を投入する。そして、操作表示部４２にて電源を入れ、所望のコースを選択して運転をスタートする。
【００３９】
操作表示部４２には、洗いから脱水までの行程を設定する行程ボタン（図示せず）や水位を設定する水位ボタン（図示せず）などが設けられている。水位は、使用者が布量に合わせて自由に設定できるが、使用者が設定しない場合は、制御装置２７の制御手段に設けた布量判定手段（図示せず）により判定した布量に基づき自動設定される。
【００４０】
運転をスタートすると、パルセータ１８をモータ２０により低速で左右回転して、投入された布量を布量判定手段により検知、判定し、布量に応じた洗剤量を操作表示部４２に表示することにより使用者に洗剤投入量を知らせる。
【００４１】
洗剤ケース２９を注水ケース３１から引き出し、注水ケース３１の粉末洗剤投入部３７に所定量の粉末洗剤を投入した後、洗剤ケース２９を注水ケース３１に収納すると、洗剤投入量表示から所定時間経過後、給水弁２８が開いて給水が始まり、洗い行程が進行していく。
【００４２】
給水弁２８が開くと、注水装置３２を水密保持するパッキン３０を介して、注水部経路３３ｃに水が流れ込む。注水部経路３３ｃに流れ込んだ水は、注水部経路３３ｃの底面壁３３ｅの１個または複数個の第２注水孔３４ａからと前面壁３３ｄの複数個の第１注水孔３４ｂからの水が放出される。
【００４３】
注水部経路３３ｃの底面壁３３ｅの第２注水孔３４ａから放出された水が、粉末洗剤が投入された粉末洗剤投入部３７に散水される。これにより、粉末洗剤投入部３７には、水が溜まっていくと共に、粉末洗剤が溜まっていく水の中で水流により撹拌されて水に溶解する。
【００４４】
洗剤が溶解した水は、後面壁３７ａの下部の開口３７ｂから、注水ケース３１に流れ落ちて、流水面３５上を流れ、洗剤ケース２９の取っ手部４１の下部に下方を外方向に湾曲させた注水壁面４１ｂに当るように構成した注水口３６から矢印Ａ方向、即ち、洗濯兼脱水槽１５の中の外周壁側に放出される。この水により、洗濯兼脱水槽１５の中の外周壁側にある衣類を湿潤状態とし、洗濯兼脱水槽１５の中に十分沈み込んだ状態とする。
【００４５】
また、同時に、注水部経路３３ｃの前面壁３３ｄの複数個の第１注水孔３４ｂから勢いよく放出された水は、図２に示す矢印Ｂ方向、即ち、洗濯兼脱水槽１５の中の中央側に放出される。この時、注水部経路３３ｃの前面壁３３ｄの第１注水孔３４ｂの流水路３４ｃは、外側壁面３４ｄを中央の孔から両外側の孔に向けて徐々に外側に広げるように形成（角度α１＜α２＜・・・＜αＮ）しているので、流水路３４ｃ内の水は、外側壁面３４ｄに沿って流れようとし、且つ、流水路３４ｃの内側壁面３４ｅを中央の孔から両外側の孔に向けて徐々に短くするように形成（長さＬ１＞Ｌ２＞・・・＞ＬＮ）しているので、流水路３４ｃ内の表面張力は、内側壁面３４ｅより外側壁面３４ｄの方が大きく、水は、外側壁面３４ｄに沿って流れ出ようとし、第１注水孔３４ｂからは洗濯槽内に扇形状に注水される。この水により洗濯兼脱水槽１５の中の中央側にある衣類を湿潤状態とし、洗濯兼脱水槽１５の中に十分沈み込んだ状態とする。
【００４６】
また、同様に、注水部経路３３ｃの前面壁３３ｄの第１注水孔３４ｂの流水路３４ｃは、下側壁面３４ｆを前下方向に傾斜させ上側壁面３４ｇは下側壁面３４ｆより短く形成しているため、上記と同様に流水路３４ｃの水は、下側壁面３４ｆに沿って流れ、洗濯兼脱水槽１５の中央側にある衣類を湿潤状態とすることができる。
【００４７】
図５は、本発明の実施の形態における洗濯機の制御方法を示すタイムチャートである。
【００４８】
図５において、洗い行程の給水が始まると、制御装置２７は、給水弁２８とともにモータ２０も駆動させる。モータ２０の駆動により洗濯兼脱水槽１５は、収容された衣類とともに低速回転し、注水装置３２の注水口３６、及び、第１注水孔３４ｂから注水される水に対し、回転方向で満遍なく配置されることとなる。また、同時に、給水弁２８は、ＯＮ−ＯＦＦを繰り返して制御されることにより、注水装置３２の注水口３６、及び、第１注水孔３４ｂから注水される水は、給水弁２８のＯＮ開始時は給水弁２８に水道水圧が一気にかかるウォーターハンマー現象で流量が多く流れ、その結果、注水口３６からの注水は流速が大きくなるため、洗濯兼脱水槽１５の外周壁側の外側により多く注水され、第１注水孔３４Ｂからの注水は流速が大きくなり、洗濯兼脱水槽１５の中央側より前側に、より
多く注水されることとなる。
【００４９】
時間経過とともに、注水装置３２の注水口３６、及び、第１注水孔３４ｂから注水される水は、給水弁２８にかかる水道水圧が徐々に一定圧に近づいていき安定するため、所定の流量が流れるようになり、注水口３６からの注水は流速が所定の流速となって、洗濯兼脱水槽１５の外周壁側の所定の位置に注水され、第１注水孔３４ｂからの注水は流速が所定の流速となり、洗濯兼脱水槽１５のほぼ中央側に注水される。
【００５０】
次に、給水弁２８のＯＦＦ開始時は、給水弁２８が遮蔽されるため流量がなくなり、給水弁２８と連通する注水部経路３３ｃに滞留した水が流出するだけであるため、流量は徐々に減少していき、その結果、注水口３６からの注水は流速が小さくなっており、洗濯兼脱水槽１５の外周壁側よりやや内側に多く注水され、第１注水孔３４ｂからの注水は流速が小さくなっており洗濯兼脱水槽１５の中央側よりやや後側により多く注水されることとなる。
【００５１】
このように、洗濯兼脱水槽１５内の衣類に対し、外周壁側、中央側ともに回転方向、前後方向、即ち、全領域にわたって満遍なく水を注水することができ、特に衣類の量が多い場合においては、この効果は更に大きなものとなる。そして、槽内の水位が所定の水位に達すると、給水弁２８を完全に閉じる。
【００５２】
その後、洗濯兼脱水槽１５の中央底部に設けられたパルセータ１８を回転させ、洗剤が溶解した水および衣類を撹拌することで、溶解した洗剤成分を洗濯物の汚れに作用させ、洗い行程の攪拌行程を実行する。このように、洗い行程の攪拌行程開始時において、衣類は水を十分給水しているため、パルセータ１８の回転による攪拌作用が衣類に十分伝達でき、短い時間で洗浄性能を向上させることができる。
【００５３】
その後、シャワーすすぎ方式のすすぎ行程に移行する。すすぎ行程の最初の中間脱水行程では、洗濯兼脱水槽１５は高速回転し、洗濯兼脱水槽１５内の衣類は、外周壁側に張付いた状態となる。
【００５４】
次の注水行程では、洗濯兼脱水槽１５は低速回転しながら注水を行なう。水は、注水ケース３１の注水部経路３３ｃの底面壁３３ｅの第２注水孔３４ａから粉末洗剤投入部３７へ放出され、洗剤ケース２９の後面壁３７ａの下部の開口３７Ｂから注水ケース３１に流れ落ちて、流水面３５上を流れ、洗剤ケース２９の取っ手部４１の下部に下方を外方向に湾曲させた注水壁面４１ｂに当るように構成した注水口３６から図２の矢印Ａ方向、即ち、洗濯兼脱水槽１５の中の外周壁側に放出される。この水により、洗濯兼脱水槽１５の中の外周壁側にある衣類に注水して衣類を湿潤状態とする。
【００５５】
また、洗濯兼脱水槽１５の中央付近に位置する衣類には、上記同様、注水部経路３３ｃの前面壁３３ｄの複数個の第１注水孔３４ｂから勢いよく放出された水が、矢印Ｂ方向、即ち、洗濯兼脱水槽１５の中の中央側に放出され、この水により、洗濯兼脱水槽１５の中の中央側にある衣類を湿潤状態とする。この両方からの注水により、水は衣類を通過し、衣類の中の洗剤成分を十分洗い流し、注水行程が終わると、排水を行なう。
【００５６】
注水行程でも洗い行程と同様に、制御装置２７は、給水弁２８をＯＮ−ＯＦＦ動作させると共に、モータ２０をＯＮさせるため、洗濯兼脱水槽１５内の衣類に対し、外周壁側、中央側ともに回転方向、前後方向、即ち、全領域にわたって十分に水を注水することができ、衣類の中の洗剤成分を十分洗い流すことができる。
【００５７】
最終すすぎ行程では、中間脱水後、排水弁（図示せず）を動作させずに注水行程を行な
う。この時も、洗い行程と同様に、制御装置２７は、給水弁２８をＯＮ−ＯＦＦ動作させると共に、モータ２０をＯＮさせるため、洗濯兼脱水槽１５内の衣類に対し、外周壁側、中央側ともに回転方向、前後方向、即ち、全領域にわたって十分に水を注水することができるため、衣類を十分な湿潤状態とする。
【００５８】
槽内の水位が所定の水位に達すると、給水弁２８の動作を終了し、パルセータ１８を回転させ、溜めた水による所定時間の最終すすぎ行程を実行し、最終の脱水行程にて、洗濯兼脱水槽１５を高速で回転させ、洗濯物の水を排出する。所定時間の脱水行程を実行した後、一連の洗い、すすぎ、脱水行程を終了する。
【００５９】
以上のように、本実施の形態においては、洗濯兼脱水槽１５の外周壁方向に向けて注水する注水装置３２の第２注水孔３４ａに加えて、洗濯兼脱水槽１５の中心方向に向けて注水する注水装置３２の複数個の第１注水孔３４ｂを、第１注水孔３４ｂを構成する流水路３４ｃの外側壁面３４ｄを、中央の第１注水孔３４ｂから両外側の第１注水孔３４ｂに向けて徐々に外側に広げるように形成すると共に、流水路３４ｃの内側壁面３４ｅを、中央の第１注水孔３４ｂから両外側の第１注水孔３４ｂに向けて徐々に短くするように形成し、第１注水孔３４ｂから洗濯兼脱水槽１５内に扇形状に注水されるように構成することにより、洗い行程、すすぎ行程において、衣類を投入した洗濯兼脱水槽１５を低速回転させながら、洗濯兼脱水槽１５の外周付近と、洗濯兼脱水槽１５の中央付近に満遍なく注水することができるので、節水を実現しながら、すすぎ性能、洗浄性能を確保することができる。
【００６０】
また、第１注水孔３４ｂは、第１注水孔３４ｂを構成する流水路３４ｃの下側壁面３４ｆを前下方向に傾斜させ、上側壁面３４ｇを略水平で下側壁面３４ｆより短く形成した構成とすることにより、洗い行程、すすぎ行程において、衣類を投入した洗濯兼脱水槽１５を低速回転させながら、洗濯兼脱水槽１５の中央付近に満遍なく注水することができるので、節水を実現しながら、すすぎ性能、洗浄性能を確保することができる。
【００６１】
また、制御手段は、洗い行程、すすぎ行程において、所定時間、モータ２０を連続駆動して洗濯兼脱水槽１５を回転させながら、給水弁２８のＯＮ−ＯＦＦ動作を繰返し行なうとすることにより、洗い行程、すすぎ行程において、衣類を投入した洗濯兼脱水槽１５を低速回転させながら、洗濯兼脱水槽１５の外周付近と、洗濯兼脱水槽１５の中央付近に満遍なく注水することができるので、節水を実現しながら、すすぎ性能、洗浄性能を確保することができる。
【産業上の利用可能性】
【００６２】
以上のように、本発明にかかる洗濯機は、注水装置の簡単な構成で、洗濯兼脱水槽内の衣類全体に満遍なく注水することにより、節水を実現しながら、すすぎ性能、洗浄性能を確保することが可能となるので、注水装置を有するドラム式など他の洗濯機の用途に適用できる。
【符号の説明】
【００６３】
１１  本体
１３  水槽
１５  洗濯兼脱水槽
１８  パルセータ
２０  モータ
２４  上部枠体
２８  給水弁
２９  洗剤ケース
３１  注水ケース
３２  注水装置
３３  注水部
３３ｄ  前面壁
３３ｅ  底面壁
３４ａ  第２注水孔
３４ｂ  第１注水孔
３４ｃ  流水路
３４ｄ  外側壁面
３４ｅ  内側壁面
３４ｆ  下側壁面
３４ｇ  上側壁面
３５  流水面
３７  粉末洗剤投入部
【図１】
2015195948.tif 000003
【図２】
2015195948.tif 000004
【図３】
2015195948.tif 000005
【図４】
2015195948.tif 000006
【図５】
2015195948.tif 000007
【図６】
2015195948.tif 000008
【図７】
2015195948.tif 000009